(57)【要約】【課題】チェーンを使わずに柵等として使用できるようにした便利な昇降ポール装置を提案する。【解決手段】ポール頭部から垂下した管部材７ａにスクリュー軸３と螺合するナット７ｂを固定して螺合手段７とし、スクリュー軸３の周囲を覆って管部材７ａ外周面に対し摺動可能に液密封止される軸ケース６を設けると共にモータを液密に封入するモータケース４を設け、光センサ１０を、管部材７ａ周囲のポール内空間に配置する。ポール２の側面部に光センサ１０を臨ませる透光孔１２を設ける。光センサがチェーンの代わりとなって、見えない柵等として使用することができる。【選択図】図１
2006219854.tif 000002
【特許請求の範囲】
【請求項１】
モータの回転運動をスクリュー軸で直線運動に変換することにより、収納ケース内に配置したポールを昇降させる昇降ポール装置において、
前記ポールの側面部に透光孔を設け、該透光孔に臨む光センサを前記ポール内部に設置したことを特徴とする昇降ポール装置。
【請求項２】
前記透光孔を上下に離間させて二つ配設すると共に該透光孔のそれぞれに前記光センサを設置したことを特徴とする請求項１記載の昇降ポール装置。
【請求項３】
前記モータを、前記収納ケース内において前記ポールの下死点よりも下に配置し、該モータから上方へ前記スクリュー軸を、少なくとも前記ポールのストローク相当分の長さ延長すると共に、該スクリュー軸に螺合しその回転で上下する螺合手段を、前記ポール内の下端部分に配設することを特徴とする請求項１又は請求項２記載の昇降ポール装置。
【請求項４】
前記螺合手段は、前記ポール頭部から垂下した管部材に前記スクリュー軸と螺合するナットを固定したものとし、そして、前記スクリュー軸周囲を覆って前記管部材外周面に対し摺動可能に液密封止される軸ケースを設けると共に前記モータを液密に封入するモータケースを設け、前記光センサを、前記管部材周囲のポール内空間に配置することを特徴とする請求項３記載の昇降ポール装置。
【発明の詳細な説明】
【技術分野】
【０００１】
本発明は、駐車場等の敷地を囲う柵や車両の通行規制手段などとして使用可能な昇降（出没）式のポールに関する。
【背景技術】
【０００２】
駐車場等の柵として使用される昇降ポール装置は、最近では特許文献１，２に開示されるようなスイッチ一つで出没操作することのできる電動式のものも使用され、利便性が高められている。このような電動式の昇降ポール装置は、モータの回転運動をスクリュー軸で直線運動に変換してポールを昇降させる仕組みである。
【０００３】
【特許文献１】特開２００３−２１３６３６号
【特許文献２】特開２００４−０３６３８３号
【発明の開示】
【発明が解決しようとする課題】
【０００４】
上記従来技術の昇降ポール装置は、敷地を囲う柵とされるような場合、頭部にチェーンを架け渡して使用されるが、このチェーンの着脱まで自動化したものはさすがに無く、通常は付けっぱなしのままで使われている。
【０００５】
ところが、そのチェーンがプラスチック製のものであったりすると、人や車の往来で破損してしまうことが多く、具合が悪い。また、金属製チェーンの場合でも、人や車の往来で踏みつけられて汚れてしまうので見栄えが悪くなったり、また、出没操作の際などに車のボディに擦れて傷つけてしまうといった心配がある。
【０００６】
このような課題に鑑みて本発明では、チェーンを使わずに柵等として使用できるようにした昇降ポール装置を提案するものである。
【課題を解決するための手段】
【０００７】
本発明によれば、モータの回転運動をスクリュー軸で直線運動に変換することにより、収納ケース内に配置したポールを昇降させる昇降ポール装置において、そのポールの側面部に透光孔を設け、該透光孔に臨む光センサをポール内部に設置したことを特徴とする。
【０００８】
光センサは発光素子と受光素子からなり、対にした昇降ポール装置の一方を発光素子、他方を受光素子とすることで、感知動作を行う。したがって、この対とした昇降ポール装置の間を人や車が通ると、光センサが反応して、光や音でアラームを発生させることができる。つまり、光センサがチェーンの代わりとなって、見えない柵等として使用することができる。
【０００９】
このような昇降ポール装置では、二つの透光孔を上下に離間させて配設すると共にそのそれぞれに光センサを設置すると良い。これによると、適宜上下に離した二つの光センサの両方が一度に反応しないとアラームを発しないよう処理することができ、猫等の小動物に反応してむやみにアラームを発生しないようにすることができる。
【００１０】
光センサを狭いポール内に設置するにはそれ相応の工夫がいる。すなわち、電動式昇降ポール装置はモータや駆動機構を内部に収容しているので、これらの配置を工夫して光センサ用のスペースを確保する必要がある。そこで本発明では、ポール昇降用のモータを、収納ケース内においてポールの下死点よりも下に配置し、該モータから上方へスクリュー軸を、少なくともポールのストローク相当分の長さ延長すると共に、該スクリュー軸に螺合しその回転で上下する螺合手段を、ポール内の下端部分に配設することを特徴とする。この構造によってポール内には螺合手段を配設するだけで済むので、ポール内に受光センサを設置するに十分なスペースが確保される。
【００１１】
より好ましくは、螺合手段は、ポール頭部から垂下した管部材にスクリュー軸と螺合するナットを固定したものとし、そして、スクリュー軸周囲を覆って螺合手段の管部材外周面に対し摺動可能に液密封止される軸ケースを設けると共にモータを液密に封入するモータケースを設け、光センサを、螺合手段の管部材周囲のポール内空間に配置すると良い。すなわち、収納ケース内には雨水が流れ込み得るので、最下層にスクリュー軸及びモータを配置した場合、底に溜まる水分の影響を受けることが予想される。そこで、螺合手段の管部材−軸ケース−モータケースにて駆動部を全体的に液密に封じることにより、腐食等から守るようにするのが好ましい。
【発明の効果】
【００１２】
本発明によれば、電動式の昇降ポール装置において、昇降動作するポール内に光センサを設置してポール間の通行を感知できるようにし、光センサを見えないチェーンとして機能させているので、従来のようにチェーンなどを架け回さなくとも柵を構成することができる。したがって、本発明の昇降ポール装置を用れば、従来には無かったスイッチ一つで制御可能な柵等を構成することができる。また、光センサに連動させて警備会社へ通報が行くようなシステムを構築すれば、セキュリティ強化にも役立つ。
【発明を実施するための最良の形態】
【００１３】
図１及び図２に、本発明に係る昇降ポール装置の実施形態を示している。図１は内部構造を示した断面図、図２はポールを伸ばした状態で示した外観図である。
【００１４】
この例の昇降ポール装置は、筒状の収納ケース１内を昇降する筒状のポール２を備え、このポール２を、収納ケース１内に配置したモータによるスクリュー軸３の回転で昇降させるようになっている。
【００１５】
収納ケース１は、地中に埋められる金属製の筒で、上部内周面には軸受フランジ１ａが固定されている。そして軸受フランジ１ａの内周面に、軸方向へ並べて等間隔に３カ所、帯状の軸受１ｂが固定されている。軸受１ｂはそれぞれフッ素樹脂コーティングした滑りの良いものとしてある。また、軸受フランジ１ａの上端部分には、樹脂（ゴム）製リングのダストシール１ｃが二列設けられて、砂やほこりの浸入を防ぐと共に液密封止されている。
【００１６】
ポール２は、三本の軸受１ｂに保持されて収納ケース１内を昇降する。その頭部には胴部より大径のトップカバー２ａが設けられ、下死点において収納ケース１の軸受フランジ１ａ上端部分を覆い隠すようになっている。また、ポール２の下端部には、上死点ストッパ２ｂを外周面に囲繞して固定してあり、当該上死点ストッパ２ｂが軸受フランジ１ａの下端面に当接してポール２の上昇が止められると、トルク感知によりモータが停止し上昇動作がストップするようになっている。さらに、この上死点ストッパ２ｂには、一部に切欠溝２ｃが形成されており、収納ケース１の側壁に軸方向へ延設されたガイドレール１ｄを切欠溝２ｃに受容することで、ポール２の収納ケース１に対する回転が止められている。
【００１７】
スクリュー軸３を回転させるモータは、立方体形状のモータケース４にギア機構と共に封入されて液密処理されており、該モータケース４が駆動部ベース５により収納ケース１の底部にボルト止めされている。したがって、たとえ収納ケース１の底部に雨水が溜まったとしても駆動系は問題なく動作する。また、モータにより駆動されて回転するスクリュー軸３は、モータケース４に接合されて立設された管状の軸ケース６にて周囲を覆われている。これらの構造により、モータ及びスクリュー軸３について液密封止が図られている。
【００１８】
スクリュー軸３に螺合する螺合手段７は、ポール２頭部のトップカバー２ａに溶接又はボルト止めされてポール２内に垂下された管部材７ａの先端に、ナット７ｂを回転しないように固定して形成されている。これによりナット７ｂは、ポール２の下端部分、すなわち下端ないしは少し内へ入り込んだ下端近傍に宙吊りされた状態で配設される。スクリュー軸３の長さは少なくともポール２の昇降ストローク分有り（余裕を持たせても良い）、スクリュー軸３が回転すると、これに螺合している螺合手段７がそのストロークの間でスクリュー軸３に沿って上下動する。
【００１９】
ナット７ｂを固定している管部材７ａは、軸ケース６よりも小径とされて軸ケース６内を上下動する。その軸ケース６と管部材７ａとの間は、軸ケース６の上端部に設けられた樹脂製リング等の封止材６ａにて摺動可能に液密封止されている。このように、軸ケース６が管部材７ａの外周面に対し摺動可能に液密封止されているので、管部材７ａ−軸ケース６−モータケース４により、駆動系は収納ケース１内で液密に封入されている。
【００２０】
収納ケース１内において、モータ（モータケース４）は、上記のような液密構造としたことにより、ポール２の下死点よりも下の底部に設置することが可能である。その結果、ポール２の筒内は、中心軸部分に螺合手段７が垂下されるのみとなり、その管部材７ａの周りに空きスペースが確保される。この空きスペースに、一例として赤外線式の光センサ１０が設置されている。
【００２１】
光センサ１０は、トップカバー２ａから垂下した取付部材１１に取り付けられて、所定の高さに設定される。本例の場合、上下に所定の間隔離して二個の光センサ１０が設けられており、この光センサ１０の両方が一度に反応した場合にアラームが発生される仕組みとなっている。ポール２の側面部には、光センサ１０に対応させて透光孔１２が開けられ、透明なガラス１３が嵌め込まれている。光センサ１０はこの透光孔１２に臨ませてあり、透光孔１２を通して発光し、あるいは透光孔１２を通して受光する。
【００２２】
光センサ１０は、発光素子と受光素子を対として作動するので、図示の光センサ１０が発光素子であれば、隣に設置される昇降ポール装置の光センサは受光素子とされる。したがって、隣り合う昇降ポール装置は、設置時に、透光孔１２の位置を互いに整合させるように調整される。このような光センサ１０に対する配線は、耐水被覆したコード等を管部材７ａ周囲の空間で取り回すようにして処理すれば良い。
【００２３】
図３に示すように、たとえば三本の昇降ポール装置を設置して柵を構成する場合、真ん中の昇降ポール装置Ａには、両端の昇降ポール装置Ｂ，Ｃと対をなすよう、上下一組の光センサ１０が１８０°間隔で二組設けられる。そして、両端の昇降ポール装置Ｂ，Ｃには、光センサ１０が上下一組設けられる。これにより、ポール２を上昇させた時には、その間Ｂ−Ａ，Ａ−Ｃに光センサ１０による見えない光の鎖が張られていることになる。
【００２４】
この他、真ん中の昇降ポール装置Ａ内の二組の受光センサ１０を、９０°間隔で、つまり直角に設ければ、９０°曲がった敷地角部の柵も構成できる。さらに、受光センサ１０を９０°間隔で四組設ければ、四方へ柵を張り巡らすことも可能である。すなわち、受光センサ１０の設置角度により、多様な柵を作り出すことができる。
【００２５】
なお、図３のシステムでは、制御盤Ｄから電源線及び信号線が各昇降ポール装置Ａ，Ｂ，Ｃへ配線され、制御盤Ｄの操作に従い一斉に昇降制御できるようになっている。また、地中に埋められた収納ケース１の底から配水管が引き出され、排水タンクＥを経て地上へ排出されるようになっている。排水タンクＥは、ポール２の下降によるポンプ作用で排水を行う仕組みである。
【００２６】
このような設置例の他に、応用例として、他のポールの昇降動作を監視するためのセンサポールとして本発明の昇降ポール装置を使用することもできる。すなわち、図３の両端の昇降ポール装置Ｂ，Ｃを発光／受光の一対として、本実施形態に係る光センサ１０内蔵の昇降ポール装置とすると、これらの間の一本以上の昇降ポール装置Ａの昇降動作を上下の光センサ１０により感知することができる。屋外に設置された昇降ポール装置Ａは、その動作中に踏まれたりすることで動作途中でストップしてしまう可能性があり、この状態を、伸ばした状態の両端の昇降ポール装置Ｂ，Ｃの光センサ１０にて監視することができる。
【００２７】
以上の例では、トップカバー２ａを大径として、ポール２を収納した状態でトップカバー２ａが地上で蓋をする形態を説明したが、この他に、ポール収納時に上端面が地面と面一となるようにした、いわゆるバリアフリーの形態も可能である。これにつき図４に示してある。
【００２８】
図４の例のポール２は、頭部に設けられたトップカバー２ａ’が胴部と同径で、ポール２の上端面と収納ケース１の上端面とが一致するまでポール２を下降させられるようになっている。また、軸受けフランジ１ａも収納ケース１から突出する部分がカットされており、したがって、ポール２を収納ケース１に埋没させれば、地面上に突出する部分が無いように構成されている。
【図面の簡単な説明】
【００２９】
【図１】本発明に係る昇降ポール装置の内部構造を示した断面図。
【図２】図１の昇降ポール装置についてポールを伸ばした状態で示した外観図。
【図３】図１の昇降ポール装置を三本使用して柵を構成した一例を示す概略図。
【図４】本発明に係る昇降ポール装置の他の実施形態を示した外観図。
【符号の説明】
【００３０】
１  収納ケース
２  ポール
３  スクリュー軸
４  モータケース（モータ）
５  駆動部ベース
６  軸ケース
６ａ  封止材
７  螺合手段
７ａ  管部材
７ｂ  ナット
１０  光線センサ
１１  取付部材
１２  透光孔
１３  ガラス
【図１】
2006219854.tif 000003
【図２】
2006219854.tif 000004
【図３】
2006219854.tif 000005
【図４】
2006219854.tif 000006